(57)【要約】【課題】複数の対象搬入現場の管理機構が１つではないような場合でも、複数の対象搬出現場から複数の対象搬入現場への搬送対象部材の搬送をデータ管理できる搬送データ管理システムを提供する。【解決手段】処理管理装置２００は、対象搬入現場に搬入されて処理される搬送対象部材の搬入処理計画をデータ管理し、搬送管理装置１００は、搬入処理計画から搬送対象部材の搬入に関連する部材搬入データを取得する。その部材搬入データを他の対象搬入現場の搬送管理装置１００と相互通信し、相互通信した複数の部材搬入データに対応して対象搬送計画をデータ生成するので、対象搬入現場ごとに個別にデータ管理されている複数の搬入処理計画から１つの対象搬送計画をデータ生成することができる。【選択図】  図１
2004210519.tif 000002
【特許請求の範囲】
【請求項１】
少なくとも１つの対象搬出現場から複数の対象搬入現場への少なくとも１つの搬送対象部材の対象搬送機関による搬送をデータ管理する搬送データ管理システムであって、
複数の前記対象搬入現場ごとに処理管理装置と搬送管理装置とを有しており、前記処理管理装置は、前記対象搬入現場に搬入されて処理される前記搬送対象部材の搬入処理計画をデータ管理し、
前記搬送管理装置は、
前記処理管理装置でデータ管理されている前記搬入処理計画から前記搬送対象部材の搬入に関連する部材搬入データを取得するデータ取得手段と、
前記部材搬入データを他の前記対象搬入現場の搬送管理装置と相互通信するデータ通信手段と、
相互通信した複数の前記部材搬入データに対応して少なくとも１つの前記対象搬出現場から複数の前記対象搬入現場への少なくとも１つの前記搬送対象部材の前記対象搬送機関による搬送を計画した対象搬送計画をデータ生成する計画生成手段と、を有している搬送データ管理システム。
【請求項２】
前記搬送管理装置は、
前記対象搬送計画を入力操作に対応して編集処理する計画編集手段と、
編集処理された前記対象搬送計画を他の前記対象搬入現場の処理管理装置にデータ配信する計画通信手段と、も有している請求項１に記載の搬送データ管理システム。
【請求項３】
前記計画通信手段は、編集処理される前記対象搬送計画をリアルタイムに他の前記対象搬入現場の処理管理装置にデータ配信する請求項２に記載の搬送データ管理システム。
【請求項４】
前記計画編集手段は、他の前記対象搬入現場の処理管理装置で編集処理されている最中の前記対象搬送計画は編集処理しない請求項３に記載の搬送データ管理システム。
【請求項５】
前記搬送管理装置は、
前記対象搬出現場ごとに搬出できる前記搬送対象部材をデータ記憶している搬出記憶手段と、
前記対象搬入現場ごとに搬入できる前記搬送対象部材をデータ記憶している搬入記憶手段と、も有しており、
前記計画生成手段は、前記搬出記憶手段と前記搬入記憶手段との記憶データに対応して前記対象搬送計画をデータ生成する請求項１ないし４の何れか一項に記載の搬送データ管理システム。
【請求項６】
前記搬送対象部材が原油などの流体からなり、
前記対象搬送機関が前記流体を積載して航行するタンカーからなり、
複数の前記対象搬出現場ごとに前記タンカーに前記流体を搬出する搬出港があり、
前記搬送管理装置は、前記タンカーが満杯でも入港できるかを前記搬出港ごとにデータ記憶している順位記憶手段も有しており、
前記計画生成手段は、前記タンカーが複数の前記搬出港で前記流体を積載する前記対象搬送計画を前記順位記憶手段の記憶データにも対応してデータ生成する請求項１ないし５の何れか一項に記載の搬送データ管理システム。
【請求項７】
前記搬送対象部材が原油などの流体からなり、
前記対象搬送機関が前記流体を積載して航行するタンカーからなり、
複数の前記対象搬出現場ごとに前記タンカーに前記流体を搬出する搬出港があり、
前記搬送管理装置は、前記タンカーが空荷でないと入港できないかを前記搬出港ごとにデータ記憶している順位記憶手段も有しており、
前記計画生成手段は、前記タンカーが複数の前記搬出港で前記流体を積載する前記対象搬送計画を前記順位記憶手段の記憶データにも対応してデータ生成する請求項１ないし６の何れか一項に記載の搬送データ管理システム。
【請求項８】
前記搬送対象部材が原油などの流体からなり、
前記対象搬送機関が前記流体を積卸して航行するタンカーからなり、
複数の前記対象搬入現場ごとに前記タンカーに前記流体を搬入する搬入港があり、
前記搬送管理装置は、前記タンカーが満杯でも入港できるかを前記搬入港ごとにデータ記憶している順位記憶手段も有しており、
前記計画生成手段は、前記タンカーが複数の前記搬入港で前記流体を積卸する前記対象搬送計画を前記順位記憶手段の記憶データにも対応してデータ生成する請求項１ないし７の何れか一項に記載の搬送データ管理システム。
【請求項９】
前記搬送対象部材が原油などの流体からなり、
前記対象搬送機関が前記流体を積卸して航行するタンカーからなり、
複数の前記対象搬入現場ごとに前記タンカーに前記流体を搬入する搬入港があり、
前記搬送管理装置は、前記タンカーが空荷でないと入港できないかを前記搬入港ごとにデータ記憶している順位記憶手段も有しており、
前記計画生成手段は、前記タンカーが複数の前記搬入港で前記流体を積卸する前記対象搬送計画を前記順位記憶手段の記憶データにも対応してデータ生成する請求項１ないし８の何れか一項に記載の搬送データ管理システム。
【請求項１０】
前記搬送対象部材が原油などの流体からなり、
前記対象搬送機関が前記流体を積載して航行するタンカーからなり、
複数の前記対象搬出現場ごとに前記タンカーに前記流体を搬出する搬出港があり、
前記搬送管理装置は、
前記搬出港ごとの最低深度をデータ記憶している深度記憶手段と、
前記タンカーごとに前記流体の積載容量と喫水深度との関係をデータ記憶している喫水記憶手段と、も有しており、
前記計画生成手段は、前記喫水深度が前記最低深度に到達しないように前記対象搬送計画をデータ生成する請求項１ないし５の何れか一項に記載の搬送データ管理システム。
【請求項１１】
前記搬送対象部材が原油などの流体からなり、
前記対象搬送機関が前記流体を積載して航行するタンカーからなり、
複数の前記対象搬入現場ごとに前記タンカーから前記流体を搬入する搬入港があり、
前記搬送管理装置は、
前記搬入港ごとの最低深度をデータ記憶している深度記憶手段と、
前記タンカーごとに前記流体の積載容量と喫水深度との関係をデータ記憶している喫水記憶手段と、も有しており、
前記計画生成手段は、前記喫水深度が前記最低深度に到達しないように前記対象搬送計画をデータ生成する請求項１ないし５の何れか一項に記載の搬送データ管理システム。
【請求項１２】
前記搬送対象部材が原油などの流体からなり、
前記対象搬送機関が前記流体を積載して航行するタンカーからなり、
複数の前記対象搬出現場ごとに前記タンカーに前記流体を搬出する搬出港があり、
複数の前記対象搬入現場ごとに前記タンカーから前記流体を搬入する搬入港があり、
前記搬送管理装置は、
前記搬出港および前記搬入港ごとの最低深度をデータ記憶している深度記憶手段と、
前記タンカーごとに前記流体の積載容量と喫水深度との関係をデータ記憶している喫水記憶手段と、も有しており、
前記計画生成手段は、前記喫水深度が前記最低深度に到達しないように前記対象搬送計画をデータ生成する請求項１ないし５の何れか一項に記載の搬送データ管理システム。
【請求項１３】
前記搬送対象部材が原油などの流体からなり、
前記対象搬送機関が前記流体を積載して航行するタンカーからなり、
複数の前記対象搬出現場ごとに前記タンカーに前記流体を搬出する搬出港があり、
前記搬送管理装置は、前記搬出港ごとに搬出可能な前記流体の容量をデータ記憶している容量記憶手段も有しており、
前記計画生成手段は、前記容量記憶手段の記憶データにも対応して前記対象搬送計画をデータ生成する請求項１ないし１２の何れか一項に記載の搬送データ管理システム。
【請求項１４】
前記搬送対象部材が原油などの流体からなり、
前記対象搬送機関が前記流体を積卸して航行するタンカーからなり、
複数の前記対象搬入現場ごとに前記タンカーに前記流体を搬入する搬入港があり、
前記搬送管理装置は、前記搬入港ごとに搬入可能な前記流体の容量をデータ記憶している容量記憶手段も有しており、
前記計画生成手段は、前記容量記憶手段の記憶データにも対応して前記対象搬送計画をデータ生成する請求項１ないし１３の何れか一項に記載の搬送データ管理システム。
【請求項１５】
前記搬送対象部材が原油などの流体からなり、
前記対象搬送機関が前記流体を積載して航行するタンカーからなり、
複数の前記対象搬出現場ごとに前記タンカーに前記流体を搬出する搬出港があり、
前記搬送管理装置は、前記搬出港ごとに複数の前記タンカーごとの入港の可否をデータ記憶している入港記憶手段も有しており、
前記計画生成手段は、前記入港記憶手段の記憶データにも対応して前記対象搬送計画をデータ生成する請求項１ないし１４の何れか一項に記載の搬送データ管理システム。
【請求項１６】
前記搬送対象部材が原油などの流体からなり、
前記対象搬送機関が前記流体を積卸して航行するタンカーからなり、
複数の前記対象搬入現場ごとに前記タンカーに前記流体を搬入する搬入港があり、
前記搬送管理装置は、前記搬入港ごとに複数の前記タンカーごとの入港の可否をデータ記憶している入港記憶手段も有しており、
前記計画生成手段は、前記入港記憶手段の記憶データにも対応して前記対象搬送計画をデータ生成する請求項１ないし１５の何れか一項に記載の搬送データ管理システム。
【請求項１７】
前記搬送対象部材が原油などの流体からなり、
前記対象搬送機関が前記流体を積載して航行するタンカーからなり、
複数の前記対象搬出現場ごとに桟橋に停泊した前記タンカーに前記流体を搬出する搬出港があり、
前記搬送管理装置は、前記搬出港の桟橋ごとの使用可否をデータ記憶している桟橋記憶手段も有しており、
前記計画生成手段は、前記桟橋記憶手段の記憶データにも対応して前記対象搬送計画をデータ生成する請求項１ないし１６の何れか一項に記載の搬送データ管理システム。
【請求項１８】
前記搬送対象部材が原油などの流体からなり、
前記対象搬送機関が前記流体を積卸して航行するタンカーからなり、
複数の前記対象搬入現場ごとに桟橋に停泊した前記タンカーに前記流体を搬入する搬入港があり、
前記搬送管理装置は、前記搬入港の桟橋ごとの使用可否をデータ記憶している桟橋記憶手段も有しており、
前記計画生成手段は、前記桟橋記憶手段の記憶データにも対応して前記対象搬送計画をデータ生成する請求項１ないし１７の何れか一項に記載の搬送データ管理システム。
【請求項１９】
請求項１に記載の搬送データ管理システムの搬送管理装置であって、
前記処理管理装置でデータ管理されている前記搬入処理計画から前記搬送対象部材の搬入に関連する部材搬入データを取得するデータ取得手段と、
前記部材搬入データを他の前記対象搬入現場の搬送管理装置と相互通信するデータ通信手段と、
相互通信した複数の前記部材搬入データに対応して少なくとも１つの前記対象搬出現場から複数の前記対象搬入現場への少なくとも１つの前記搬送対象部材の前記対象搬送機関による搬送を計画した対象搬送計画をデータ生成する計画生成手段と、
を有している搬送管理装置。
【請求項２０】
前記対象搬送計画を入力操作に対応して編集処理する計画編集手段と、
編集処理された前記対象搬送計画を他の前記対象搬入現場の処理管理装置にデータ配信する計画通信手段と、も有している請求項１９に記載の搬送管理装置。
【請求項２１】
請求項１９に記載の搬送管理装置の搬送管理方法であって、
前記処理管理装置でデータ管理されている前記搬入処理計画から前記搬送対象部材の搬入に関連する部材搬入データを取得し、
前記部材搬入データを他の前記対象搬入現場の搬送管理装置と相互通信し、
相互通信した複数の前記部材搬入データに対応して少なくとも１つの前記対象搬出現場から複数の前記対象搬入現場への少なくとも１つの前記搬送対象部材の前記対象搬送機関による搬送を計画した対象搬送計画をデータ生成する搬送管理方法。
【請求項２２】
前記対象搬送計画を入力操作に対応して編集処理し、
編集処理された前記対象搬送計画を他の前記対象搬入現場の処理管理装置にデータ配信する請求項２１に記載の搬送管理方法。
【請求項２３】
コンピュータ装置からなる請求項１９に記載の搬送管理装置のためのコンピュータプログラムであって、
前記処理管理装置でデータ管理されている前記搬入処理計画から前記搬送対象部材の搬入に関連する部材搬入データを取得すること、
前記部材搬入データを他の前記対象搬入現場の搬送管理装置と相互通信すること、
相互通信した複数の前記部材搬入データに対応して少なくとも１つの前記対象搬出現場から複数の前記対象搬入現場への少なくとも１つの前記搬送対象部材の前記対象搬送機関による搬送を計画した対象搬送計画をデータ生成すること、
を前記搬送管理装置に実行させるためのコンピュータプログラム。
【請求項２４】
前記対象搬送計画を入力操作に対応して編集処理すること、
編集処理された前記対象搬送計画を他の前記対象搬入現場の処理管理装置にデータ配信すること、も前記搬送管理装置に実行させるための請求項２３に記載のコンピュータプログラム。
【請求項２５】
コンピュータ装置からなる搬送管理装置のためのコンピュータプログラムが格納されている情報記憶媒体であって、
請求項２３または２４に記載のコンピュータプログラムが格納されている情報記憶媒体。
【発明の詳細な説明】
【０００１】
【発明の属する技術分野】
本発明は、搬送対象部材の搬送をデータ管理する搬送データ管理システムに関し、特に、少なくとも１つの対象搬出現場から複数の対象搬入現場への少なくとも１つの搬送対象部材の対象搬送機関による搬送をデータ管理する搬送データ管理システムに関する。
【０００２】
【従来の技術】
現在、石油会社などは原産地から製油所まで原油をタンカーにより搬送しているが、複数の原産地から複数の製油所まで複数種類の原油を搬送するような場合、そのタンカーの配船を計画する作業は煩雑である。しかし、タンカーの運行費用は莫大であるため、無駄のない配船計画を立案する必要がある。
【０００３】
現在、このような配船計画を立案する搬送データ管理システムとして各種の提案がある（例えば、非特許文献１参照）。
【０００４】
【非特許文献１】
“衛星パケット通信とＧＩＳによる移動体運行管理システムの開発”、三菱重工業（株）、［２００２年１２月０４日検索］インターネット＜ＵＲＬ：ｈｔｔｐ：／／ｗｗｗ．ｍｈｉ．ｃｏ．ｊｐ／ｎｓｍｗ／ｈｔｍｌ／ｉｄｏｕ．ｈｔｍ＞
【０００５】
【発明が解決しようとする課題】
現在、タンカーの運行の無駄を排除する手法の１つとしては、複数の石油会社が共同でタンカーを配船する共同配船がある。しかし、複数の石油会社では製油所に原油を搬入して処理する搬入処理計画を個別に立案しているので、複数の原産地から複数の製油所まで複数種類の原油をタンカーで搬送する対象搬送計画を、複数の石油会社の搬入処理計画に整合するように立案することは困難である。
【０００６】
本発明は上述のような課題に鑑みてなされたものであり、複数の対象搬入現場の管理機構が１つではなく処理管理装置で独自の搬入処理計画がデータ管理されているような場合でも適正な対象搬送計画をデータ生成できる搬送データ管理システムを提供することを目的とする。
【０００７】
【課題を解決するための手段】
本発明の搬送データ管理システムは、少なくとも１つの対象搬出現場から複数の対象搬入現場への少なくとも１つの搬送対象部材の対象搬送機関による搬送をデータ管理するもので、複数の対象搬入現場ごとに処理管理装置と搬送管理装置とを有しており、その搬送管理装置は、データ取得手段、データ通信手段、計画生成手段、を有している。
【０００８】
処理管理装置は、対象搬入現場に搬入されて処理される搬送対象部材の搬入処理計画をデータ管理し、搬送管理装置のデータ取得手段は、処理管理装置でデータ管理されている搬入処理計画から搬送対象部材の搬入に関連する部材搬入データを取得する。データ通信手段は、部材搬入データを他の対象搬入現場の搬送管理装置と相互通信し、計画生成手段は、相互通信した複数の部材搬入データに対応して少なくとも１つの対象搬出現場から複数の対象搬入現場への少なくとも１つの搬送対象部材の対象搬送機関による搬送を計画した対象搬送計画をデータ生成する。
【０００９】
従って、本発明の搬送データ管理システムでは、例えば、複数の対象搬入現場の管理機構が１つではなく処理管理装置で独自の搬入処理計画がデータ管理されている場合でも、その部材搬入データは複数の対象搬入現場の搬送管理装置で共有されて対象搬送計画のデータ生成に利用される。
【００１０】
また、上述のような搬送データ管理システムの他の形態としては、搬送管理装置が、計画編集手段、計画通信手段、も有しており、計画編集手段は、対象搬送計画を入力操作に対応して編集処理し、計画通信手段は、編集処理された対象搬送計画を他の対象搬入現場の処理管理装置にデータ配信する。従って、データ生成された対象搬送計画が複数の対象搬入現場の１つの搬送管理装置で作業者の所望により編集処理されると、その編集処理された対象搬送計画が他の搬送管理装置にデータ配信される。
【００１１】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの組み合わせ、等として実現することができる。
【００１２】
また、本発明で云う各種手段は、個々に独立した存在である必要もなく、複数の手段が１個の部材として形成されていること、ある手段が他の手段の一部であること、ある手段の一部と他の手段の一部とが重複していること、等も可能である。
【００１３】
また、本発明で云うデータ処理装置とは、コンピュータプログラムを読み取って対応する処理動作を実行できるハードウェアであれば良く、例えば、ＣＰＵ（Ｃｅｎｔｒａｌ  Ｐｒｏｃｅｓｓｉｎｇ  Ｕｎｉｔ）を主体として、これに、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、Ｉ／Ｆ（Ｉｎｔｅｒｆａｃｅ）ユニット、等の各種デバイスが接続されたハードウェアなどで良い。
【００１４】
なお、本発明でコンピュータプログラムに対応した各種動作をデータ処理装置に実行させることは、各種デバイスをデータ処理装置に動作制御させることなども意味している。例えば、データ処理装置に各種データを記憶させることは、データ処理装置に固定されているＲＡＭ等の情報記憶媒体にＣＰＵが各種データを格納すること、データ処理装置に交換自在に装填されているＦＤ（Ｆｌｅｘｉｂｌｅ  Ｄｉｓｃ−ｃａｒｔｒｉｄｇｅ）等の情報記憶媒体にＣＰＵがＦＤＤ（ＦＤ  Ｄｒｉｖｅ）で各種データを格納すること、等で良い。
【００１５】
また、本発明で云う情報記憶媒体とは、データ処理装置に各種処理を実行させるためのコンピュータプログラムが事前に格納されたハードウェアであれば良く、例えば、データ処理装置を一部とする装置に固定されているＲＯＭおよびＨＤＤ（Ｈａｒｄ  Ｄｉｓｃ  Ｄｒｉｖｅ）、データ処理装置を一部とする装置に交換自在に装填されるＣＤ（Ｃｏｍｐａｃｔ  Ｄｉｓｃ）−ＲＯＭおよびＦＤ、等で実施することが可能である。
【００１６】
【発明の実施の形態】
［実施の形態の構成］
本発明の実施の形態の搬送データ管理システム１０は、図２に示すように、複数の搬送管理装置１００と複数の処理管理装置２００からなり、少なくとも１つの対象搬出現場である原産地から複数の対象搬入現場である製油所への少なくとも１つの搬送対象部材である原油の対象搬送機関であるタンカーによる搬送をデータ管理する。
【００１７】
搬送管理装置１００と処理管理装置２００とは、複数の製油所ごとに設置されており、その製油所ごとに搬送管理装置１００と処理管理装置２００とがＬＡＮ（Ｌｏｃａｌ  Ａｒｅａ  Ｎｅｔｗｏｒｋ）２０１でオンライン接続されているとともに、複数の製油所の搬送管理装置１００がＧＡＮ（Ｇｌｏｂａｌ  Ａｒｅａ  Ｎｅｔｗｏｒｋ）２０２でオンライン接続されている。
【００１８】
なお、本形態では搬送管理装置１００と処理管理装置２００とが完全に別個のコンピュータ装置からなることを例示するが、例えば、１個のコンピュータ装置に複数のソフトウェアで搬送管理装置１００と処理管理装置２００とを実現することも可能である。
【００１９】
搬送管理装置１００および処理管理装置２００は、上述のようにコンピュータ装置からなり、図３に示すように、その主体となるハードウェアとしてＣＰＵ１０１を有している。このＣＰＵ１０１にはバスライン１０２が接続されており、このバスライン１０２には、ＲＯＭ１０３、ＲＡＭ１０４、ＨＤＤ１０５、ＦＤ１０６が交換自在に装填されるＦＤＤ１０７、ＣＤ−ＲＯＭ１０８が交換自在に装填されるＣＤドライブ１０９、入力操作デバイスの一つであるキーボード１１０、入力操作デバイスの一つであるマウス１１１、画像表示デバイスであるディスプレイユニット１１２、Ｉ／Ｆユニット１１３、等のハードウェアが接続されている。
【００２０】
本実施の形態の搬送管理装置１００および処理管理装置２００では、ＲＯＭ１０３、ＲＡＭ１０４、ＨＤＤ１０５、交換自在なＦＤ１０６、交換自在なＣＤ−ＲＯＭ１０８、等のハードウェアが情報記憶媒体に相当し、これらの少なくとも一個にＣＰＵ１０１のためのコンピュータプログラムおよびリソースがソフトウェアとして格納されている。このようなソフトウェアは搬送管理装置１００および処理管理装置２００に事前にインストールされており、その起動時にＣＰＵ１０１にデータ読取される。
【００２１】
このようにＣＰＵ１０１が適正なコンピュータプログラムをデータ読取して各種処理を実行することにより、本形態の処理管理装置２００は、製油所に搬入されて処理される原油の搬入処理計画をデータ管理する。この処理管理装置２００は、例えば、本出願人が特願２００２−３４５４１５号として出願した流体管理システムと同様に形成されており、その搬入処理計画には少なくとも原油の搬入に関連する部材搬入データが内包されている。
【００２２】
例えば、搬入処理計画は、その製油所で複数種類の原油から複数種類の製品を生産する日付ごとの計画からなり、搬出する製品のデータから搬入する原油のデータが生成されているので、どの原油が何時どれだけ搬入されるかが、部材搬入データとして少なくとも内包されている。
【００２３】
そして、本形態の搬送管理装置１００は、そのＣＰＵ１０１が適正なコンピュータプログラムをデータ読取して各種処理を実行することにより、図１に示すように、搬出記憶手段１２１、搬入記憶手段１２２、深度記憶手段１２３、喫水記憶手段１２４、データ取得手段１２６、データ通信手段１２７、計画生成手段１２８、計画編集手段１３０、計画通信手段１３１、等の各種手段を各種機能として論理的に有している。
【００２４】
各種記憶手段１２１〜１２４は、ＲＡＭ１０４に格納されているコンピュータプログラムに対応してＣＰＵ１０１がＨＤＤ１０５の記憶データを管理する機能などに相当し、搬出記憶手段１２１は、原産地ごとに搬出できる原油をデータ記憶しており、搬入記憶手段１２２は、製油所ごとに搬入できる原油をデータ記憶している。
【００２５】
より具体的には、原産地は産出の関係などのために搬出できる原油が限定されており、製油所も処理設備の関係などのために搬入できる原油が限定されているので、これがデータファイルなどとして搬送管理装置１００にデータ登録されている。
【００２６】
深度記憶手段１２３は、複数の原産地の搬出港および複数の製油所の搬入港ごとの最低深度をデータ記憶しており、喫水記憶手段１２４は、各種のタンカーごとに原油の積載容量と喫水深度との関係をデータ記憶している。より具体的には、複数の原産地にはタンカーに原油を搬出する搬出港が個々にあり、複数の製油所にはタンカーから原油を搬入する搬入港が個々にある。このような搬出港や搬入港は、最低深度が事前に調査されているので、その最低深度が搬送管理装置１００にデータ登録されている。
【００２７】
また、タンカーは喫水深度が個々に相違するが、その喫水深度も積載する原油の容量に対応して変化するので、その原油の積載容量と喫水深度との関係がタンカーごとに搬送管理装置１００にデータ登録されている。この積載容量と喫水深度との関係は、例えば、代表的な積載容量ごとに喫水深度をデータ登録した一覧表や、積載容量から喫水深度を算出する演算式などでデータ登録されている。
【００２８】
データ取得手段１２６は、ＣＰＵ１０１がコンピュータプログラムに対応してＩ／Ｆユニット１１３で処理管理装置２００とデータ通信する機能などに相当し、処理管理装置２００でデータ管理されている搬入処理計画から部材搬入データを取得する。
【００２９】
データ通信手段１２７は、ＣＰＵ１０１がＩ／Ｆユニット１１３で他の製油所の搬送管理装置１００とデータ通信する機能などに相当し、データ取得手段１１３で処理管理装置２００から取得した部材搬入データを他の製油所の処理管理装置２００と相互通信する。
【００３０】
計画生成手段１２８は、ＣＰＵ１０１が所定の処理動作を実行する機能などに相当し、データ通信手段１２７で相互通信した複数の部材搬入データと、各種記憶手段１２１〜１２４の記憶データとに対応して、対象搬送計画をデータ生成する。
【００３１】
この対象搬送計画は、複数の原産地から複数の製油所への複数種類の原油のタンカーによる搬送を計画したもので、複数の製油所の部材搬入データを満足するようにデータ生成される。さらに、対象搬送計画は、原産地ごとに搬出できる原油の種別と、製油所ごとに搬入できる原油の種別とに整合するようにもデータ生成される。
【００３２】
また、この対象搬送計画は、複数の原産地の搬出港および複数の製油所の搬入港ごとの最低深度と、各種のタンカーごとの原油の積載容量と喫水深度との関係とに対応して、喫水深度が最低深度に到達しないようにもデータ生成される。より具体的には、タンカーは原油を積載すると喫水深度が変化し、搬出港や搬入港はタンカーが航行可能な喫水深度が規定されている。
【００３３】
そこで、一隻のタンカーが複数の搬出港で原油を積載する対象搬送計画がデータ生成される場合、例えば、タンカーが最初に入港する搬出港としては、タンカーが空荷なら入港できるが満杯では入港できない喫水深度の搬出港が選択され、タンカーが最後に入港する搬出港としては、タンカーが満杯でも入港できる喫水深度の搬出港が選択される。
【００３４】
同様に、一隻のタンカーが複数の搬入港で原油を積卸する対象搬送計画がデータ生成される場合、例えば、タンカーが最初に入港する搬入港としては、タンカーが満杯でも入港できる喫水深度の搬入港が選択され、タンカーが最後に入港する搬入港としては、タンカーが空荷なら入港できるが満杯では入港できない喫水深度の搬入港が選択される。
【００３５】
計画編集手段１３０は、ＣＰＵ１０１がキーボード１１０の入力データに対応してＲＡＭ１０４の保持データを更新する機能などに相当し、対象搬送計画を入力操作に対応して編集処理するが、後述するように、他の製油所で編集処理されている最中の対象搬送計画がリアルタイムにデータ配信されているときは、その対象搬送計画は編集処理しない。
【００３６】
計画通信手段１３１は、ＣＰＵ１０１がＩ／Ｆユニット１１３で他の製油所の搬送管理装置１００とデータ通信する機能などに相当し、計画編集手段１３０で編集処理される対象搬送計画をリアルタイムに他の製油所の処理管理装置２００にデータ配信する。
【００３７】
上述のような搬送データ管理システム１０の各種手段は、必要によりＨＤＤ１０５やＩ／Ｆユニット１１３等のハードウェアを利用して実現されるが、その主体はＲＡＭ１０４等の情報記憶媒体に格納されたコンピュータプログラムに対応してハードウェアであるＣＰＵ１０１が機能することにより実現されている。
【００３８】
このようなコンピュータプログラムは、例えば、複数の原産地ごとの搬出できる原油、複数の製油所ごとの搬入できる原油、複数の原産地の搬出港および複数の製油所の搬入港ごとの最低深度、各種のタンカーごとの原油の積載容量と喫水深度との関係、をＨＤＤ１０５などにデータ記憶させること、処理管理装置２００でデータ管理されている搬入処理計画から部材搬入データをＩ／Ｆユニット１１３などで取得すること、処理管理装置２００から取得した部材搬入データを他の製油所の処理管理装置２００と相互通信すること、相互通信した複数の部材搬入データと各種の記憶データとに対応して対象搬送計画をデータ生成すること、対象搬送計画をキーボード１１０などの入力操作に対応して編集処理すること、編集処理される対象搬送計画をリアルタイムに他の製油所の処理管理装置２００にデータ配信すること、他の製油所で編集処理されている最中の対象搬送計画がリアルタイムにデータ配信されている対象搬送計画は編集処理しないこと、等の処理動作をＣＰＵ１０１等に実行させるためのソフトウェアとしてＲＡＭ１０４等の情報記憶媒体に格納されている。
【００３９】
［実施の形態の動作］
上述のような構成において、複数の製油所は、各々の処理管理装置２００で搬入処理計画をデータ管理し、その搬入処理計画に対応して各種の原油から各種の製品を生産する。処理管理装置２００は、製品の搬出計画から原油の搬入計画をデータ生成するので、その部材搬入データが搬入処理計画には内包されている。
【００４０】
図４に示すように、このような製油所で作業者が所望によりキーボード１１０の入力操作などで搬送管理装置１００に対象搬送計画のデータ生成を指示すると（ステップＳ１）、この搬送管理装置１００は、複数の原産地ごとの搬出できる原油、複数の製油所ごとの搬入できる原油、複数の搬出港および複数の搬入港ごとの最低深度、各種のタンカーごとの積載容量と喫水深度との関係、がデータ登録されているかを確認し（ステップＳ２）、これらの各種データが１つでも登録されていないと“〜がデータ登録されていません。〜をデータ登録してから処理を再開して下さい。”などのエラーガイダンスをディスプレイ１１２にデータ表示する（ステップＳ８）。
【００４１】
上述のような各種データの全部が登録されていると（ステップＳ２）、その各種データが読み出される（ステップＳ３）。つぎに、搬送管理装置１００はＩ／Ｆユニット１１３で処理管理装置２００とデータ通信し、処理管理装置２００でデータ管理されている搬入処理計画から部材搬入データを取得する（ステップＳ４）。
【００４２】
つぎに、搬送管理装置１００は他の製油所の搬送管理装置１００とデータ通信し、他の製油所の部材搬入データを取得する（ステップＳ５）。これで他の製油所の１つからでも部材搬入データを受信できないと（ステップＳ６）、“〜からデータを受信できません。登録状況などを確認して下さい。”などのエラーガイダンスをディスプレイ１１２にデータ表示する（ステップＳ８）。
【００４３】
全部の製油所から部材搬入データを受信すると（ステップＳ６）、その各製油所の部材搬入データ、複数の原産地ごとの搬出できる原油、複数の製油所ごとの搬入できる原油、複数の原産地の搬出港および複数の製油所の搬入港ごとの最低深度、各種のタンカーごとの原油の積載容量と喫水深度との関係、に対応して対象搬送計画をデータ生成する（ステップＳ７）。
【００４４】
図５に示すように、データ生成された対象搬送計画はディスプレイ１１２にデータ表示されるので（ステップＳ９）、作業者は搬送管理装置１００で自動生成された対象搬送計画を確認することができる。さらに、データ生成された対象搬送計画は他の製油所の搬送管理装置１００にもデータ配信されるので（ステップＳ１０）、他の製油所から対象搬送計画をデータ受信した搬送管理装置１００でも（ステップＳ１２）、その対象搬送計画でディスプレイ１１２にデータ表示される（ステップＳ１３）。
【００４５】
上述のような対象搬送計画は、複数の製油所と複数の原産地と複数のタンカーとに関連する膨大な条件の全部を満足しているので、通常は、そのまま使用することが可能であるが、製油所によっては修正を要望する場合もある。その場合、作業者が所望により搬送管理装置１００のキーボード１１０などを手動操作して対象搬送計画を編集処理すると（ステップＳ１１）、その編集処理された対象搬送計画はリアルタイムにディスプレイ１１２にデータ表示されるとともに他の製油所の搬送管理装置１００にデータ配信される（ステップＳ９，Ｓ１０）。
【００４６】
このように他の製油所で編集処理されている対象搬送計画をデータ受信してデータ表示した搬送管理装置１００では（ステップＳ１２，Ｓ１３）、その他の製油所の搬送管理装置１００から編集完了をデータ受信するまでは（ステップＳ１６）、キーボード１１０などが手動操作されても対象搬送計画を編集処理できない（ステップＳ１４，Ｓ１５）。
【００４７】
［実施の形態の効果］
本実施の形態の搬送データ管理システム１０では、上述のように製油所ごとに搬送管理装置１００が処理管理装置２００から部材搬入データを取得し、その部材搬入データを複数の製油所の搬送管理装置１００が相互通信して１つの対象搬送計画をデータ生成する。このため、例えば、複数の製油所の管理機構が１つではなく、完全に別個の会社であっても、その個別にデータ管理されている複数の搬入処理計画から１つの対象搬送計画をデータ生成することができる。
【００４８】
しかも、複数の原産地ごとの搬出できる原油と、複数の製油所ごとの搬入できる原油と、の登録データに対応して対象搬送計画がデータ生成されるので、原産地と製油所との膨大な条件を満足した対象搬送計画を確実にデータ生成することができる。
【００４９】
さらに、複数の原産地の搬出港および複数の製油所の搬入港ごとの最低深度と、各種のタンカーごとの原油の積載容量と喫水深度との関係と、の登録データにも対応して対象搬送計画がデータ生成されるので、搬出港と搬入港とタンカーとの膨大な条件をも満足した対象搬送計画を確実にデータ生成することができる。
【００５０】
しかも、データ生成された対象搬送計画が複数の製油所の１つの搬送管理装置１００で作業者の所望により編集処理されると、その編集処理された対象搬送計画が他の搬送管理装置１００にデータ配信されるので、対象搬送計画が複数の製油所の１つで編集処理されたことを他の製油所が確認することができ、複数の製油所が１つの対象搬送計画を協議するようなことができる。
【００５１】
特に、ある製油所の処理管理装置２００で編集処理される対象搬送計画がリアルタイムに他の製油所の処理管理装置２００にデータ配信されるので、ある製油所の要望を他の製油所がリアルタイムに確認することができる。それでいて、他の製油所の処理管理装置２００で編集処理されている最中の対象搬送計画は編集処理されないので、複数の処理管理装置２００の対象搬送計画の不整合が確実に防止される。
【００５２】
［実施の形態の変形例］
本発明は上記形態に限定されるものではなく、その要旨を逸脱しない範囲で各種の変形を許容する。例えば、上記形態では説明を簡単とするために製油所ごとに搬送管理装置１００と処理管理装置２００とが設置されていることを例示したが、このような装置１００，２００は製油所ごとに用意されていれば実際の設置場所を限定する必要はない。
【００５３】
また、上記形態では搬送対象部材が原油からなり、対象搬送機関がタンカーからなり、対象搬出現場が原産地からなり、対象搬入現場が製油所からなることを例示したが、本発明の搬送データ管理システムは、例えば、陸路での部品輸送などにも適用することが可能である。
【００５４】
さらに、上記形態では搬送管理装置１００に、複数の搬出／搬入港ごとの最低深度と、各種のタンカーごとの積載容量と喫水深度との関係と、がデータ登録されており、これらの登録データに対応して対象搬送計画がデータ生成されることを例示した。
【００５５】
しかし、搬送管理装置１００に、複数の搬出／搬入港ごとにタンカーが満杯でも入港できるか、タンカーが空荷でないと入港できないか、などをデータ登録しておき、これらの登録データに対応して対象搬送計画をデータ生成させることも可能である。
【００５６】
前者の場合、対象搬送計画を緻密に立案することができ、後者の場合、登録データの容量と処理負担とを削減することができる。つまり、上述の手法は相互に一長一短があるので、実際の製品を実施する場合には各種条件を考慮して選択することが好適である。
【００５７】
また、上記形態では複数の原産地ごとの搬出できる原油、複数の製油所ごとの搬入できる原油、複数の搬出港および複数の搬入港ごとの最低深度、タンカーごとの積載容量と喫水深度との関係、が搬送管理装置１００にデータ登録されており、これらの各種データに対応して搬送管理装置１００が対象搬送計画をデータ生成することを例示した。
【００５８】
しかし、搬送管理装置１００に、搬出／搬入港ごとの搬出／搬入可能な（契約）容量、タンカーごとの搬出／搬入港への入港可否、搬出／搬入港の桟橋ごとの使用可否、なども搬送管理装置１００にデータ登録しておき、これらの各種データにも対応して搬送管理装置１００が対象搬送計画をデータ生成することも可能である。
【００５９】
一般的に、タンカーで原油を調達する搬入港の製油所は、原産地の搬出港と契約しており、その契約には搬出可能な容量が設定されている。そこで、これを搬送管理装置１００にデータ登録して対象搬送計画のデータ生成に反映させれば、例えば、タンカーを効率的に満杯とする対象搬送計画などをデータ生成させることができる。
【００６０】
また、上述のような契約には、タンカーごとに入港可能な搬出港なども設定されている。また、タンカーにはＶＬＣＣ（Ｖｅｒｙ  Ｌａｒｇｅ  Ｃｒｕｄｅ  Ｃａｒｒｉｅｒ）と呼称される大型船があるが、搬出／搬入港によってはＶＬＣＣが入港できないことがある。
【００６１】
そこで、これを搬送管理装置１００にデータ登録して対象搬送計画のデータ生成に反映させれば、例えば、タンカーが入港できる搬出／搬入港のみを移動する対象搬送計画を、手作業の修正などを必要とすることなく最初からデータ生成させることができる。
【００６２】
さらに、タンカーが入港可能な搬出港などでも、その桟橋が工事などのために一時的に使用できないことがある。そこで、これを搬送管理装置１００に一時的にデータ登録して対象搬送計画のデータ生成に反映させれば、タンカーが使用できない桟橋には入港しない対象搬送計画を、手作業の修正などを必要とすることなく最初からデータ生成させることができる。
【００６３】
また、上記形態では搬送管理装置１００に複数の原産地ごとの搬出できる原油と、複数の製油所ごとの搬入できる原油と、をデータ登録しておき、この登録データにも対応して対象搬送計画をデータ生成することを例示した。しかし、このような原油を、例えば、潤滑油用や燃料用などの用途別に区分しておき、その区分の登録データにも対応して対象搬送計画をデータ生成することも可能である。
【００６４】
さらに、タンカーが複数の搬出港で原油を積載するとき、その複数の原油を混合して搬送することもあるが、このように混合させて搬送する原油も搬送管理装置１００にデータ登録しておき、これにも対応して搬送管理装置１００が対象搬送計画をデータ生成することも可能である。
【００６５】
また、上記形態では搬送管理装置１００が各種の登録データに基づいて対象搬送計画をデータ生成するとき、その各種データの全部が登録されているかを最初に確認し、その１つでも登録されていないとエラーガイダンスを作業者に報知出力してデータ登録を誘導することを例示した。しかし、搬送管理装置１００が上述のようなエラー処理を実行することなく、登録されているデータのみで対象搬送計画をデータ生成することも可能である。
【００６６】
さらに、上記形態ではＲＡＭ１０４等に格納されているコンピュータプログラムに対応してＣＰＵ１０１が動作することにより、搬送データ管理システム１０の各種機能として各種手段が論理的に実現されることを例示した。しかし、このような各種手段の各々を固有のハードウェアとして形成することも可能であり、一部をソフトウェアとしてＲＡＭ１０４等に格納するとともに一部をハードウェアとして形成することも可能である。
【００６７】
【発明の効果】
本発明の搬送データ管理システムでは、例えば、複数の対象搬入現場の管理機構が１つではなく処理管理装置で独自の搬入処理計画がデータ管理されている場合でも、その部材搬入データは複数の対象搬入現場の搬送管理装置で共有されて対象搬送計画のデータ生成に利用されるので、個別にデータ管理されている複数の搬入処理計画から１つの対象搬送計画をデータ生成することができる。
【００６８】
また、上述のような搬送データ管理システムの他の形態としては、データ生成された対象搬送計画が複数の対象搬入現場の１つの搬送管理装置で作業者の所望により編集処理されると、その編集処理された対象搬送計画が他の搬送管理装置にデータ配信されるので、対象搬送計画が複数の対象搬入現場の１つで編集処理されたことを他の対象搬入現場が確認することができ、複数の対象搬入現場が１つの対象搬送計画を協議するようなことができる。
【図面の簡単な説明】
【図１】本発明の実施の形態の搬送データ管理システムの論理構造を示す模式図である。
【図２】搬送データ管理システムの物理構造を示すブロック図である。
【図３】搬送管理装置および処理管理装置の物理構造を示すブロック図である。
【図４】搬送管理装置のデータ処理方法の前半部分を示すフローチャートである。
【図５】後半部分を示すフローチャートである。
【符号の説明】
１０    搬送データ管理システム
１００    搬送管理装置
１０１    コンピュータの主体であるＣＰＵ
１０３    情報記憶媒体であるＲＯＭ
１０４    情報記憶媒体であるＲＡＭ
１０５    情報記憶媒体であるＨＤＤ
１０６    情報記憶媒体であるＦＤ
１０８    情報記憶媒体であるＣＤ−ＲＯＭ
１２１    搬出記憶手段
１２２    搬入記憶手段
１２３    深度記憶手段
１２４    喫水記憶手段
１２６    データ取得手段
１２７    データ通信手段
１２８    計画生成手段
１３０    計画編集手段
１３１    計画通信手段
２００    処理管理装置
【図１】
2004210519.tif 000003
【図２】
2004210519.tif 000004
【図３】
2004210519.tif 000005
【図４】
2004210519.tif 000006
【図５】
2004210519.tif 000007